(57)【要約】【課題】ドット状の印刷による計器板用印刷方法において、意匠のぎざぎざ感を緩和する。【解決手段】ＸＹ方向に対して輪郭５が交差する意匠４と、意匠４の輪郭５と隣接する背景２３との少なくとも一方を、光透過率または光反射率である所定の光特性値で、ドット状の印刷によって、計器板を構成する基板の表面に形成する計器板用印刷方法において、ＸＹ方向の一方へ並ぶ複数のドットにより形成される直線部５２１〜５２４と、直線部５２１〜５２４に対してＸＹ方向の他方へずれるドットにより形成される段差部５１１〜５１４とを、輪郭５から抽出する抽出工程と、直線部５２１〜５２４側で段差部５１１〜５１４と隣接するドット位置に、意匠４の光特性値である意匠特性値と背景２３の光特性値である背景特性値の中間の光特性値を有するドットを印刷する印刷工程と、を備える。【選択図】図３
2010066604.tif 000002
【特許請求の範囲】
【請求項１】
ＸＹ方向に対して輪郭が交差する意匠と、前記意匠の前記輪郭と隣接する背景との少なくとも一方を、光透過率または光反射率である所定の光特性値で、ドット状の印刷によって、計器板を構成する基板の表面に形成する計器板用印刷方法において、
前記ＸＹ方向の一方へ並ぶ複数のドットにより形成される直線部と、前記直線部に対して前記ＸＹ方向の他方へずれるドットにより形成される段差部とを、前記輪郭から抽出する抽出工程と、
前記直線部側で前記段差部と隣接するドット位置に、前記意匠の前記光特性値である意匠特性値と前記背景の前記光特性値である背景特性値の中間の光特性値を有するドットを印刷する印刷工程と、を備えることを特徴とする計器板用印刷方法。
【請求項２】
前記抽出工程において、前記他方は、前記意匠側であり、
前記印刷工程において、前記段差部から前記直線部に沿って並ぶドット位置に、前記段差部から離れるほど、前記意匠特性値に近い光特性値を有するドットを印刷することを特徴とする請求項１に記載の計器板用印刷方法。
【請求項３】
前記抽出工程において、前記他方は、前記背景側であり、
前記印刷工程において、前記段差部から前記直線部に沿って並ぶドット位置に、前記段差部から離れるほど、前記背景特性値に近い光特性値を有するドットを印刷することを特徴とする請求項１に記載の計器板用印刷方法。
【請求項４】
前記抽出工程において、前記他方は、前記背景側であり、前記段差部が形成されない前記直線部を抽出し、
前記段差部が形成されない前記直線部の端部から、前記背景側へ仮想に前記段差部を設定する設定工程を備えることを特徴とする請求項１または３に記載の計器板用印刷方法。
【請求項５】
ＸＹ方向に対して輪郭が交差する意匠と、前記意匠の前記輪郭と隣接する背景との少なくとも一方を、光透過率または光反射率である所定の光特性値で、ドット状の印刷によって、計器板を構成する基板の表面に形成する計器板用印刷方法において、
前記ＸＹ方向の一方へ並ぶ複数のドットにより形成される直線部と、前記直線部に対して前記ＸＹ方向の他方であって前記意匠側へずれるドットにより形成される段差部とを、前記輪郭から抽出する抽出工程と、
前記意匠の前記光特性値である意匠特性値を有する少なくとも１つのドットが並んでなる意匠ドット領域と、前記背景の前記光特性値である背景特性値を有する少なくとも１つのドットが並んでなる背景ドット領域とを、前記直線部に沿って交互に形成するように、前記意匠ドット領域と前記背景ドット領域の少なくとも一方を印刷して、前記段差部から離れるほど前記意匠ドット領域のドット数を増大させる印刷工程と、を備えることを特徴とする計器板用印刷方法。
【請求項６】
ＸＹ方向に対して輪郭が交差する意匠と、前記意匠の前記輪郭と隣接する背景との少なくとも一方を、光透過率または光反射率である所定の光特性値で、ドット状の印刷によって、計器板を構成する基板の表面に形成する計器板用印刷方法において、
前記ＸＹ方向の一方へ並ぶ複数のドットにより形成される直線部と、前記直線部に対して前記ＸＹ方向の他方であって前記背景側へずれるドットにより形成される段差部とを、前記輪郭から抽出する抽出工程と、
前記背景の前記光特性値である背景特性値を有する少なくとも１つのドットが並んでなる背景ドット領域と、前記意匠の前記光特性値である意匠特性値を有する少なくとも１つのドットが並んでなる意匠ドット領域とを、前記直線部に沿って交互に形成するように、前記背景ドット領域と前記意匠ドット領域の少なくとも一方を印刷して、前記段差部から離れるほど前記背景ドット領域のドット数を増大させる印刷工程と、を備えることを特徴とする計器板用印刷方法。
【請求項７】
前記抽出工程において、前記直線部に対して前記段差部が形成されない直線部を抽出し、
前記段差部が形成されない前記直線部の端部から、前記背景側へ仮想に前記段差部を設定する設定工程を備えることを特徴とする請求項６に記載の計器板用印刷方法。
【請求項８】
ＸＹ方向に対して輪郭が交差する意匠と、前記意匠の前記輪郭と隣接する背景との少なくとも一方を、光透過率または光反射率である所定の光特性値で、ドット状の印刷によって、計器板を構成する基板の表面に形成する計器板用印刷装置において、
前記ＸＹ方向の一方へ並ぶ複数のドットにより形成される直線部と、前記直線部に対して前記ＸＹ方向の他方へずれるドットにより形成される段差部とを、前記輪郭から抽出する抽出手段と、
前記直線部側で前記段差部と隣接するドット位置に、前記意匠の前記光特性値である意匠特性値と前記背景の前記光特性値である背景特性値の中間の光特性値を有するドットを印刷する印刷手段と、を備えることを特徴とする計器板用印刷装置。
【請求項９】
ＸＹ方向に対して輪郭が交差する意匠と、前記意匠の前記輪郭と隣接する背景との少なくとも一方を、光透過率または光反射率である所定の光特性値で、ドット状の印刷によって、計器板を構成する基板の表面に形成する計器板用印刷装置において、
前記ＸＹ方向の一方へ並ぶ複数のドットにより形成される直線部と、前記直線部に対して前記ＸＹ方向の他方であって前記意匠側へずれるドットにより形成される段差部とを、前記輪郭から抽出する抽出手段と、
前記意匠の前記光特性値である意匠特性値を有する少なくとも１つのドットが並んでなる意匠ドット領域と、前記背景の前記光特性値である背景特性値を有する少なくとも１つのドットが並んでなる背景ドット領域とを、前記直線部に沿って交互に形成するように、前記意匠ドット領域と前記背景ドット領域の少なくとも一方を印刷して、前記段差部から離れるほど前記意匠ドット領域のドット数を増大させる印刷手段と、を備えることを特徴とする計器板用印刷装置。
【請求項１０】
ＸＹ方向に対して輪郭が交差する意匠と、前記意匠の前記輪郭と隣接する背景との少なくとも一方を、光透過率または光反射率である所定の光特性値で、ドット状の印刷によって、計器板を構成する基板の表面に形成する計器板用印刷装置において、
前記ＸＹ方向の一方へ並ぶ複数のドットにより形成される直線部と、前記直線部に対して前記ＸＹ方向の他方であって前記背景側へずれるドットにより形成される段差部とを、前記輪郭から抽出する抽出手段と、
前記背景の前記光特性値である背景特性値を有する少なくとも１つのドットが並んでなる背景ドット領域と、前記意匠の前記光特性値である意匠特性値を有する少なくとも１つのドットが並んでなる意匠ドット領域とを、前記直線部に沿って交互に形成するように、前記背景ドット領域と前記意匠ドット領域の少なくとも一方を印刷して、前記段差部から離れるほど前記背景ドット領域のドット数を増大させる印刷手段と、を備えることを特徴とする計器板用印刷装置。
【発明の詳細な説明】
【技術分野】
【０００１】
本発明は、ドット状の印刷による計器板用印刷方法、および、ドット状の印刷を行なう計器板用印刷装置に関するものである。
【背景技術】
【０００２】
ドット状の印刷による計器板用印刷方法が開示されている（特許文献１を参照）。ドット状に印刷するインクジェット装置は、計器板を構成する基板に対してＸＹ方向に相対移動して、基板の表面に意匠を印刷する。このように、ドット状の印刷による計器板用印刷方法は、スクリーン印刷方法のようにスクリーンを製作する必要がなく、基板に意匠を直接印刷できるため、特に、小ロット品種の計器板用印刷に適している。
【特許文献１】特開２００６−２２１０４４号公報
【発明の開示】
【発明が解決しようとする課題】
【０００３】
しかし、ドット状の印刷による計器板用印刷方法では、意匠の輪郭がＸ、Ｙ方向と交差する方向となるように意匠を印刷すると、意匠は、階段状の輪郭を有するドット状に印刷される。例えば、６００ｄｐｉ（Ｄｏｔ  Ｐｅｒ  Ｉｎｃｈ）×６００ｄｐｉの解像度で意匠を印刷する場合、階段状の輪郭は、０．０４２（２５．４／６００）ｍｍの段差部を有することになる。このような階段状の輪郭の段差部によって、意匠にぎざぎざ感が発生する。
【０００４】
このギザギザ感は、Ｘ方向またはＹ方向に対して、階段状の輪郭が２度〜５度の低角度で傾斜している場合に目立つようになる。
【０００５】
本発明は、上記点に鑑みてなされたものであり、ドット状の印刷による計器板用印刷方法、および、ドット状の印刷を行なう計器板用印刷装置において、意匠のぎざぎざ感を緩和することを目的とする。
【課題を解決するための手段】
【０００６】
本発明は上記目的を達成するため、以下の技術的手段を採用する。
【０００７】
請求項１に記載の発明によれば、ＸＹ方向に対して輪郭が交差する意匠と、意匠の輪郭と隣接する背景との少なくとも一方を、光透過率または光反射率である所定の光特性値で、ドット状の印刷によって、計器板を構成する基板の表面に形成する計器板用印刷方法において、ＸＹ方向の一方へ並ぶ複数のドットにより形成される直線部と、直線部に対してＸＹ方向の他方へずれるドットにより形成される段差部とを、輪郭から抽出する抽出工程と、直線部側で段差部と隣接するドット位置に、意匠の光特性値である意匠特性値と背景の光特性値である背景特性値の中間の光特性値を有するドットを印刷する印刷工程と、を備えることを特徴とする。
【０００８】
この方法によれば、直線部側で段差部と隣接するドット位置に、意匠特性値と背景特性値の中間の光特性値を有するドットを印刷するため、直線部側で段差部と隣接するドットの光特性値と、直線部と反対側で段差部と隣接するドットの光特性値との光特性値の差を小さくできる。このため、段差部を目立たなくできて、意匠のぎざぎざ感を緩和できる。
【０００９】
請求項２に記載の発明によれば、抽出工程において、他方は、意匠側であり、印刷工程において、段差部から直線部に沿って並ぶドット位置に、段差部から離れるほど、意匠特性値に近い光特性値を有するドットを印刷することを特徴とする。
【００１０】
この方法によれば、直線部に沿って段差部から離れるほど、意匠特性値に近い光特性値を有するドットを印刷するため、直線部側で段差部と隣接するドット位置に印刷された中間の光特性値を有するドットを、目立たなくできる。このため、段差部を目立たなくするためのドットを目立たなくできて、意匠のぎざぎざ感をより緩和できる。
【００１１】
請求項３に記載の発明によれば、抽出工程において、他方は、背景側であり、印刷工程において、段差部から直線部に沿って並ぶドット位置に、段差部から離れるほど、背景特性値に近い光特性値を有するドットを印刷することを特徴とする。
【００１２】
この方法によれば、直線部に沿って段差部から離れるほど、背景特性値に近い光特性値を有するドットを印刷するため、直線部側で段差部と隣接するドット位置に印刷された中間の光特性値を有するドットを、目立たなくできる。このため、段差部を目立たなくするためのドットを目立たなくできて、意匠のぎざぎざ感をより緩和できる。
【００１３】
請求項４に記載の発明によれば、抽出工程において、他方は、背景側であり、段差部が形成されない直線部を抽出し、段差部が形成されない直線部の端部から、背景側へ仮想に段差部を設定する設定工程を備えることを特徴とする。
【００１４】
ここで、直線部に対して段差部を背景側に設定する場合、段差部が形成されない直線部が生じるため、段差部が形成されない直線部には、段差部を目立たなくするためのドットが形成されない。このため、段差部が形成されている直線部において段差部を目立たなくするために形成されているドットとの視覚上のバランスが、段差部が形成されない直線部において崩れて、この輪郭が表す傾斜線が、段差部が形成されない直線部で曲がって見えるようになり、意匠を正確に見せることができないおそれがある。
【００１５】
これに対して、この方法によれば、段差部が形成されない直線部の端部から、背景側へ仮想に段差部を設定するため、段差部が形成されない直線部において、段差部を目立たなくするためのドットとの視覚上のバランスをとるためのドットが形成される。このため、段差部が形成されている直線部において段差部を目立たなくするために形成されているドットとの視覚上のバランスが、段差部が形成されない直線部において崩れることを抑えることができる。したがって、輪郭が表す傾斜線が、段差部が形成されない直線部で曲がって見えることを抑えることができるため、意匠を正確に見せつつ、意匠のぎざぎざ感を緩和できる。
【００１６】
請求項５に記載の発明によれば、ＸＹ方向に対して輪郭が交差する意匠と、意匠の輪郭と隣接する背景との少なくとも一方を、光透過率または光反射率である所定の光特性値で、ドット状の印刷によって、計器板を構成する基板の表面に形成する計器板用印刷方法において、ＸＹ方向の一方へ並ぶ複数のドットにより形成される直線部と、直線部に対してＸＹ方向の他方であって意匠側へずれるドットにより形成される段差部とを、輪郭から抽出する抽出工程と、意匠の光特性値である意匠特性値を有する少なくとも１つのドットが並んでなる意匠ドット領域と、背景の光特性値である背景特性値を有する少なくとも１つのドットが並んでなる背景ドット領域とを、前記直線部に沿って交互に形成するように、前記意匠ドット領域と前記背景ドット領域の少なくとも一方を印刷して、前記段差部から離れるほど前記意匠ドット領域のドット数を増大させる印刷工程と、を備えることを特徴とする。
【００１７】
この方法によれば、直線部に沿って段差部から離れるほど、背景ドット領域の間に配列される意匠ドット領域のドット数を増大させる。このため、意匠ドット領域と背景ドット領域とが交互に形成されたドット群は、直線部に沿って段差部から離れるほど、背景特性値から意匠特性値へ変化するグラデーションとして視認される。
【００１８】
このドット群のグラデーションにより、直線部と反対側で段差部と隣接するドットの背景特性値との光特性値の差を、緩和して見せることができる。このため、段差部を目立たなくできて、意匠のぎざぎざ感を緩和できる。
【００１９】
請求項６に記載の発明によれば、ＸＹ方向に対して輪郭が交差する意匠と、意匠の輪郭と隣接する背景との少なくとも一方を、光透過率または光反射率である所定の光特性値で、ドット状の印刷によって、計器板を構成する基板の表面に形成する計器板用印刷方法において、ＸＹ方向の一方へ並ぶ複数のドットにより形成される直線部と、直線部に対してＸＹ方向の他方であって背景側へずれるドットにより形成される段差部とを、輪郭から抽出する抽出工程と、背景の光特性値である背景特性値を有する少なくとも１つのドットが並んでなる背景ドット領域と、意匠の光特性値である意匠特性値を有する少なくとも１つのドットが並んでなる意匠ドット領域とを、直線部に沿って交互に形成するように、背景ドット領域と意匠ドット領域の少なくとも一方を印刷して、段差部から離れるほど背景ドット領域のドット数を増大させる印刷工程と、を備えることを特徴とする。
【００２０】
この方法によれば、直線部に沿って段差部から離れるほど、意匠ドット領域の間に配列される背景ドット領域のドット数を増大させる。このため、背景ドット領域と意匠ドット領域とが交互に形成されたドット群は、直線部に沿って段差部から離れるほど、意匠特性値から背景特性値へ変化するグラデーションとして視認される。
【００２１】
このドット群のグラデーションにより、直線部と反対側で段差部と隣接するドットの意匠特性値との光特性値の差を、緩和して見せることができる。このため、段差部を目立たなくできて、意匠のぎざぎざ感を緩和できる。
【００２２】
請求項７に記載の発明によれば、抽出工程において、直線部に対して段差部が形成されない直線部を抽出し、段差部が形成されない直線部の端部から、背景側へ仮想に段差部を設定する設定工程を備えることを特徴とする。
【００２３】
ここで、直線部に対して段差部を背景側に設定する場合、段差部が形成されない直線部が生じるため、段差部が形成されない直線部には、背景ドット領域と意匠ドット領域とが交互に形成されたドット群が形成されない。このため、段差部が形成されている直線部において段差部を目立たなくするために形成されているドット群との視覚上のバランスが、段差部が形成されない直線部において崩れて、この輪郭が表す傾斜線が、段差部が形成されない直線部で曲がって見えるようになり、意匠を正確に見せることができないおそれがある。
【００２４】
これに対して、この方法によれば、段差部が形成されない直線部の端部から、背景側へ仮想に段差部を設定するため、段差部が形成されない直線部において、段差部を目立たなくするためのドット群との視覚上のバランスをとるためのドット群が形成される。このため、段差部が形成されている直線部において段差部を目立たなくするために形成されているドット群との視覚上のバランスが、段差部が形成されない直線部において崩れることを抑えることができる。したがって、輪郭が表す傾斜線が、段差部が形成されない直線部で曲がって見えることを抑えることができるため、意匠を正確に見せつつ、意匠のぎざぎざ感を緩和できる。
【００２５】
請求項８〜１０に記載の発明によっても、それぞれ、請求項１，５，６に記載の発明と同様の効果を奏することができる。
【発明を実施するための最良の形態】
【００２６】
以下、本発明の実施形態を図面に基づいて説明する。なお、図中の互いに同一若しくは均等である部分に、同一符号を付している。
【００２７】
（第１実施形態）
図１に示す印刷装置１０は、基板２に印刷形成される意匠を画像データとして記憶しておくメモリ１３と、インクジェット装置１１と、制御装置１２と、基板２が固定される基板ステージ１４とを備える。印刷装置１０は、インクジェット装置１１が、基板２に沿ってＸ，Ｙ方向において基板２に対して相対移動するように構成される。
【００２８】
インクジェット装置１１は、制御装置１２によって電子制御されたノズルヘッドから印刷材料をインク滴１１Ａとして基板２に吐出して印刷膜２２を形成し、これにより、意匠を基板２の表面２１に形成する。ポリカーボネート樹脂等の透明樹脂基板からなる基板２に意匠が印刷形成されて文字盤１が形成される。
【００２９】
メモリ１３は、図１に示す例では制御装置１２に内蔵され、電気的に記憶データの書き換えが可能な不揮発性メモリもしくはバックアップＲＡＭ（ランダムアクセスメモリ）等を含むメモリである。
【００３０】
制御装置１２は、マイクロコンピュータ等から構成され、メモリ１３の画像データをＲＩＰ（Ｒａｓｔｅｒ  Ｉｍａｇｅ  Ｐｒｏｃｅｓｓｅｒ）処理してビットマップデータを形成し、このビットマップデータに基づいてインクジェット装置１１による印刷を制御する。ビットマップデータは、ＸＹ座標上で画像を規則的に並ぶ点（ドット）で表現したデータであり、このドット状に表現したビットマップデータに基づいて、インクジェット装置１１により、所定解像度のドット状の印刷がなされる。制御装置１２は、インクジェット装置１１からのインク滴１１Ａの吐出制御と、ＸＹ方向において基板２に対するインクジェット装置１１の相対移動制御とを、ＲＩＰ処理したビットマップデータに基づいて行う。
【００３１】
図２に示す文字盤１では、印刷膜２２の一部である黒色の背景２３の開口部分として、文字３や目盛４等の意匠が形成される。
【００３２】
ビットマップデータに基づいてインクジェット装置１１からドット状の印刷を行うため、図３に示す領域では、Ｘ，Ｙの両方向に対して傾斜している目盛４の輪郭５０は、Ｙ方向のドット幅ＹＲの段差部５１１〜５１４と、直線部５２１〜５２４とからなる階段状の輪郭５として形成される。これは、ビットマップデータの解像度（ドット幅ＸＲ，ＹＲ）が、画像データの解像度より低いため、画像データによる輪郭５０が、ビットマップデータによる階段状の輪郭５として形成されるからである。
【００３３】
例えば、６００ｄｐｉ（Ｄｏｔ  Ｐｅｒ  Ｉｎｃｈ）×６００ｄｐｉで印刷する場合、ドット幅ＸＲ，ＹＲは、０．０４２（２５．４／６００）ｍｍとなる。なお、Ｘ方向の輪郭５Ｘでは段差部５１１〜５１４が生じているのに対して、Ｙ方向の輪郭５Ｙでは段差部が生じていない理由は、輪郭５Ｙが短いからである。図３において、段差部５１１〜５１４による目盛４のギザギザ感は、Ｘ方向に対する輪郭５Ｘの傾斜角度Θが２度〜５度の低角度の場合に顕著となり、本実施形態では、このギザギザ感が顕著となる傾斜角度Θが約４度を例にして説明する。
【００３４】
輪郭５と隣接する背景２３内には、輪郭５と隣接するスムージング部分６１１〜６１３，６２１〜６２３が形成される。スムージング部分６１１，６１２，６２１，６２３は、段差部５１１〜５１４を緩和して見せるためのものであり、スムージング部分６１３，６２２は、後述するように、輪郭５が表す傾斜線が曲がって見えることを抑えるためのものである。
【００３５】
図４に示すスムージング部分６１１において、Ｘ方向へ並ぶ１４個のドット６１１Ａ〜６１１Ｎにより形成される直線部５２１と、直線部５２１に対してＹ方向であって背景２３側へずれるドット６１１Ａにより形成される段差部５１１が、輪郭５から抽出される。直線部５２１と段差部５１１からなるスムージング部分６１１において、直線部５２１側で段差部５１と隣接するドット位置に、目盛４の光透過率（ほぼ透明）と背景２３の光透過率（黒色で、ほぼ不透明）の中間の光透過率を有するドット６１１Ａが印刷される。段差部５１１から直線部５２１に沿って並ぶドット位置に、段差部５１１から離れるほど、背景２３に近い光透過率を有するドットが印刷される。このようにして、ドット６１１Ａ〜６１１Ｎの順に、これらの各光透過率が一定の割合で低下するように形成される。
【００３６】
具体的に、ドット印刷するインク材料として、薄い灰色のインク材料と、これより光透過率が低くなる濃い灰色のインク材料と、これより光透過率が低くなる黒色のインク材料を用意する。背景２３では黒色のインク材料のドット印刷が４回重ねて行われ、これにより、背景２３の透過濃度は、４以上に調整される。なお、透過濃度とは、試料を透過する放射束に対する、試料に入射する放射束の常用対数をいい、透過濃度が高くなるにしたがって光透過率が低くなることを意味する。したがって、背景２３の透過濃度が４以上に調整されているとは、背景２３の光透過率が、ほぼ零であることを意味する。
【００３７】
目盛４では印刷をしないため、ほぼ透明な状態になっている。ドット６１１Ａ〜６１１Ｎでは、薄い灰色と濃い灰色と黒色の各インク材料による印刷の組み合わせと、各インク材料による印刷を重ねて行なう印刷回数とを変えて、スムージング部分６１１が形成される。例えば、ドット６１１Ａでは、薄い灰色のインクにより１回の印刷を行い、ドット６１１Ｎでは、濃い灰色のインクによる１回の印刷と、黒色のインクによる３回の印刷とを重ねて行なう。
【００３８】
直線部５２２と段差部５１２からなるスムージング部分６１２，直線部５２３と段差部５１３からなる６２１，および、直線部５２４と段差部５１４からなる６２３も、スムージング部分６１１と同様にして形成される。スムージング部分６１２においては、直線部５２２側で段差部５１２と隣接するドット位置に、目盛４の光透過率と背景２３の光透過率の中間の光透過率を有するドットが印刷される。段差部５１２から直線部５２２に沿って並ぶドット位置に、段差部５１２から離れるほど、背景２３の光透過率に近い光透過率を有するドットが印刷される。
【００３９】
スムージング部分６２１においては、直線部５２３側で段差部５１３と隣接するドット位置に、目盛４の光透過率と背景２３の光透過率の中間の光透過率を有するドットが印刷される。段差部５１３から直線部５２３に沿って並ぶドット位置に、段差部５１３から離れるほど、背景２３の光透過率に近い光透過率を有するドットが印刷される。
【００４０】
スムージング部分６２３においては、直線部５２４側で段差部５１４と隣接するドット位置に、目盛４の光透過率と背景２３の光透過率の中間の光透過率を有するドットが印刷される。段差部５１４から直線部５２４に沿って並ぶドット位置に、段差部５１４から離れるほど、背景２３の光透過率に近い光透過率を有するドットが印刷される。
【００４１】
このようにして、スムージング部分６１２，６２１，６２３でも、目盛４側から背景２３側に向かって、各ドットの光透過率が一定の割合で低下するように形成される。なお、スムージング部分６１１，６２１では、ドット数が１４個であるのに対して、スムージング部分６１２，６２３では、１４個より少ないドット数となっている。
【００４２】
一方、スムージング部分６１３，６２２では、直線部５３１，５３２に対してＹ方向であって背景２３側へ向かう段差部が無く、段差部が形成されない直線部５３１，５３２が、輪郭５から抽出される。抽出された直線部５３１の端部から、背景２３側へ仮想に段差部５４１が設定され、抽出された直線部５３２の端部から、背景２３側へ仮想に段差部５４２が設定される。
【００４３】
直線部５３１と段差部５４１からなるスムージング部分６１３において、直線部５３１側で段差部５４１と隣接するドット位置に、目盛４の光透過率と背景２３の光透過率の中間の光透過率を有するドットが印刷される。段差部５４１から直線部５３１に沿って並ぶドット位置に、段差部５４１から離れるほど、背景２３の光透過率に近い光透過率を有するドットが印刷される。このようにして、スムージング部分６１３では、目盛４側から背景２３側に向かって、各ドットの光透過率が一定の割合で低下するように形成される。
【００４４】
スムージング部分６２２において、直線部５３２側で段差部５４２と隣接するドット位置に、目盛４の光透過率と背景２３の光透過率の中間の光透過率を有するドットが印刷される。段差部５４２から直線部５３２に沿って並ぶドット位置に、段差部５４２から離れるほど、背景２３の光透過率に近い光透過率を有するドットが印刷される。
【００４５】
このようにして形成された文字盤１の背後には、文字盤１を透過照明する光源が配置され、黒色の背景２３の開口部分として形成されている文字３や目盛４等の意匠は、光源からの照明光を受けて発光表示するように構成される。
【００４６】
以下に、本発明の第１実施形態による文字盤用印刷方法について、スムージング部分６１１〜６１３，６２１〜６２３を中心として、図５に基づいて説明する。
【００４７】
工程Ｓ１において、制御装置１２は、メモリ１３からの画像データをＲＩＰ処理してビットマップデータを形成する。
【００４８】
工程Ｓ２では、制御装置１２は、工程Ｓ１で形成したビットマップデータにおいて、Ｘ方向へ並ぶ複数のドットにより形成される直線部５２１〜５２４を、輪郭５から抽出し、ビットマップデータのＸＹ座標上で、これらの座標位置を特定する。また、工程Ｓ２では、直線部５２１〜５２４に対して、それぞれ、Ｙ方向であって背景２３へずれるドットにより形成される段差部５１１〜５１４を、輪郭５から抽出し、ビットマップデータのＸＹ座標上で、これらの座標位置を特定する。また、工程Ｓ２では、ビットマップデータ上の輪郭５において、段差部が形成されない直線部５３１，５３２を、輪郭５から抽出し、ビットマップデータのＸＹ座標上で、これらの座標位置を特定する。
【００４９】
工程Ｓ３では、制御装置１２は、ビットマップデータ上の直線部５３１の端部から、Ｙ方向であって背景２３側へ仮想に段差部５４１を設定し、ビットマップデータ上の直線部５３２の端部から、Ｙ方向であって背景２３側へ仮想に段差部５４２を設定し、ビットマップデータのＸＹ座標上で、段差部５４１，５４２の座標位置を特定する。
【００５０】
工程Ｓ４では、制御装置１２は、ビットマップデータ上において、直線部５２１〜５２４，５３１，５３２、および、段差部５１〜５１４，５４１，５４２から、スムージング部分６１１〜６１３，６２１〜６２３を設定し、且つ、スムージング部分６１１〜６１３，６２１〜６２３の各印刷条件を設定した修正ビットマップデータを形成する。具体的には、ビットマップデータのＸＹ座標上で、スムージング部分６１１〜６１３，６２１〜６２３を設定し、且つ、スムージング部分６１１〜６１３，６２１〜６２３の各ドット位置において、薄い灰色と濃い灰色と黒色の各インク材料の組み合わせと、各インク材料のドットを重ねて印刷する印刷回数とを設定する。
【００５１】
なお、ビットマップデータでは、図３において、輪郭５が設定されているとともに、輪郭５と外側の領域（背景２３とスムージング部分６１１〜６１３，６２１〜６２３を合わせた領域）が黒色となるように、且つ、輪郭５の内側領域（目盛４）が、透明状態となるように、印刷条件が設定されている。これに対して、修正ビットマップデータでは、図３において、背景２３と目盛４においてビットマップデータと同じ印刷条件が設定されているが、以下の点が、ビットマップデータに対して修正されている。すなわち、輪郭５の外側の領域において輪郭５と隣接しているスムージング部分６１１〜６１３，６２１〜６２３が設定されている点と、スムージング部分６１１〜６１３，６２１〜６２３が、黒色（ほぼ不透明）でなくて、それぞれ、段差部５１１，５１２，５４１，５１３，５４２，５１４から離れるほど、背景２３の光透過率に近い光透過率を有するように、印刷条件が設定されている点とが、ビットマップデータに対して修正されている。
【００５２】
工程Ｓ５において、制御装置１２は、工程Ｓ４で形成した修正ビットマップデータに基づいて、インクジェット装置１１による印刷を行なう。
【００５３】
印刷装置１０は、請求項に記載の計器板用印刷装置に相当し、文字盤１は、請求項に記載の計器板に相当し、文字３と目盛４は、請求項に記載の意匠に相当する。制御装置１２は、請求項に記載の抽出手段に相当し、インクジェット装置１１と制御装置１２は、請求項に記載の印刷手段に相当する。工程Ｓ１，Ｓ２は、請求項に記載の抽出工程に相当し、工程Ｓ３は、請求項に記載の設定工程に相当し、工程Ｓ４，Ｓ５は、請求項に記載の印刷工程に相当する。
【００５４】
次に、本発明の第１実施形態による文字盤用印刷方法の作用効果について説明する。
【００５５】
図４に示すスムージング部分６１１において、直線部５２１側で段差部５１１と隣接するドット位置に、目盛４の光透過率（ほぼ透明な状態）と背景２３の光透過率（光透過率がほぼ零の状態）の中間の光透過率を有するドット６１１Ａを印刷する。ここで、直線部５２１と反対側で段差部５１１と隣接するドット６３３Ａの光透過率が、目盛４の光透過率であるため、ドット６１１Ａの光透過率とドット６３３Ａの光透過率の差を、背景２３の光透過率と目盛４の光透過率の差と比較して、小さくできる。このため、段差部５１１を目立たなくできて、目盛４のぎざぎざ感を緩和できる。
【００５６】
スムージング部分６１２，６２１，６２３でも、スムージング部分６１１と同様にして、それぞれ、段差部５１２，５１３，５１４を目立たなくできて、目盛４のぎざぎざ感を緩和できる。
【００５７】
さらに、スムージング部分６１１において、直線部５２１に沿って段差部５１１から離れるほど、背景２３の光透過率に近い光透過率を有するドットを印刷する、具体的には、ドット６１１Ａ〜６１１Ｎの順に、これらの各光透過率が一定の割合で低下するように印刷する。このため、段差部５１１と隣接するドット６１１Ａを、目立たなくできる。したがって、段差部５１１を目立たなくするためのドット６１１Ａを目立たなくできて、目盛４のぎざぎざ感をより緩和できる。
【００５８】
なお、スムージング部分６１２，６２１，６２３も、スムージング部分６１１と同様にして、それぞれ、段差部５１２，５１３，５１４を目立たなくするためのドットを目立たなくできて、目盛４のぎざぎざ感をより緩和できる。
【００５９】
ここで、図３に示す輪郭５において、段差部が形成されない直線部５３１，５３２が生じるため、段差部が形成されない直線部５３１，５３２には、段差部を目立たなくするためのドットが形成されないため、段差部を目立たなくするためのスムージング部分６１３，６２２が形成されない。このため、段差部５１１〜５１４が形成されている直線部５２１〜５２４において段差部５１１〜５１４を目立たなくするために形成されているスムージング部分６１１，６１２，６２１，６２３のドットとの視覚上のバランスが、段差部が形成されない直線部５３１，５３２において崩れるおそれがある。したがって、輪郭５が表す傾斜線が、段差部が形成されない直線部５３１，５３２で曲がって見えるようになり、目盛４を正確に見せることができないおそれがある。
【００６０】
これに対して、段差部が形成されない直線部５３１，５３２の端部から、背景２３側へ仮想に段差部５４１，５４２を設定する。このため、段差部が形成されない直線部５３１，５３２において、スムージング部分６１１，６１２，６２１，６２３のドットとの視覚上のバランスをとるためのスムージング部分６１３，６２２のドットが形成される。このため、段差部５１１〜５１４が形成されている直線部５２１〜５２４において段差部５１１〜５１４を目立たなくするために形成されているスムージング部分６１１，６１２，６２１，６２３のドットとの視覚上のバランスが、段差部が形成されない直線部５３１，５３２において崩れることを抑えることができる。したがって、輪郭５が表す傾斜線が、段差部が形成されない直線部５３１，５３２で曲がって見えることを抑えることができるため、目盛４を正確に見せつつ、目盛４のぎざぎざ感を緩和できる。
【００６１】
なお、上述の例では、スムージング部分６１１〜６１３，６２１〜６２３において、それぞれ、段差部５１１，５１２，５４１，５１３，５４２，５１４から離れるほど、背景２３の光透過率に近い光透過率を有するように、各ドットの光透過率が一定の割合で低下するように形成したが、これに限らない。各ドットの光透過率が不定の割合で低下するように形成することも可能である。例えば、図４において、ドット６１１Ｂ，６１１Ｃを同じ光透過率とし、ドット６１１Ｆ〜６１１Ｈを同じ光透過率とし、および、ドット６１１Ｋ〜６１１Ｎを同じ光透過率とすることも可能である。つまり、スムージング部分６１１〜６１３，６２１〜６２３において、各ドットの光透過率が不等な間隔で低下するように形成することも可能である。この場合においても、上述と同様の効果を得ることができる。
【００６２】
（第２実施形態）
上述の第１実施形態では、スムージング部分６１１〜６１３，６２３〜６２３を、それぞれ、段差部５１１，５１２，５４１，５１３，５４２，５１４から離れるほど、背景２３の光透過率に近い光透過率を有するように、各ドットの光透過率が低下するように形成したが、これに限らない。
【００６３】
第２実施形態では、スムージング部分６１１において、背景２３の光透過率を有する少なくとも１つのドット（以下、背景ドットと称する）が並んでなる背景ドット領域と、目盛４の光透過率を有する少なくとも１つのドット（以下、目盛ドットと称する）が並んでなる目盛ドット領域とを、直線部５２１に沿って交互に形成する。直線部５２１に沿って、段差部５１１から離れるほど、背景ドット領域のドット数を増大させるように、スムージング部分６１１を形成する。
【００６４】
例えば、図４に示すスムージング部分６１１おいて、ドット６１１Ｂ，６１１Ｄ，６１１Ｇ，６１１Ｋを目盛ドットとして、残りのドット６１１Ａ，６１１Ｃ，６１１Ｅ，６１１Ｆ，６１１Ｈ〜６１１Ｊ，６１１Ｌ〜６１１Ｎを背景ドットとする。このようにして、ドット６１１Ｂ，６１１Ｄ，６１１Ｇ，６１１Ｋを、それぞれ１つのドットからなる目盛ドット領域とする。目盛ドット領域６１１Ｂと目盛ドット領域６１１Ｄの間に配列される背景ドット領域は、一つのドット６１１Ｃからなり、目盛ドット領域６１１Ｄと目盛ドット領域６１１Ｇの間に配列される背景ドット領域は、二つのドット６１１Ｅ，６１１Ｆからなり、目盛ドット領域６１１Ｇと目盛ドット領域６１１Ｋの間に配列される背景ドット領域は、三つのドット６１１Ｈ，６１１Ｉ，６１１Ｊからなる。このように、段差部５１１から離れるほど、背景ドット領域のドット数が増大する。
【００６５】
このため、背景ドット領域と意匠ドット領域とが交互に形成されたドット群は、直線部５２１に沿って段差部５１１から離れるほど、目盛４の光透過率から背景２３の光透過率へ変化するグラデーションとして視認される。
【００６６】
このドット群のグラデーションにより、直線部５２１と反対側で段差部５１１と隣接するドット６３３Ａの目盛４の光透過率との光特性値の差を、緩和して見せることができる。このため、段差部５１１を目立たなくできて、目盛４のぎざぎざ感を緩和できる。
【００６７】
スムージング部分６１２，６２１，６２３でも、スムージング部分６１１と同様して、それぞれ、背景ドット領域と意匠ドット領域とが交互に配列されたドット群が形成される。スムージング部分６１２においては、背景ドット領域と目盛ドット領域とを、直線部５２２に沿って交互に形成し、直線部５２２に沿って段差部５１２から離れるほど、背景ドット領域のドット数を増大させるようにする。
【００６８】
スムージング部分６２１においては、背景ドット領域と目盛ドット領域とを、直線部５２３に沿って交互に形成し、直線部５２３に沿って段差部５１３から離れるほど、背景ドット領域のドット数を増大させるようにする。スムージング部分６２３においては、背景ドット領域と目盛ドット領域とを、直線部５２４に沿って交互に形成し、直線部５２４に沿って段差部５１４から離れるほど、背景ドット領域のドット数を増大させるようにする。したがって、スムージング部分６１２，６２１，６２３でも、それぞれ、段差部５１２，５１３，５１４を目立たなくできて、目盛４のぎざぎざ感を緩和できる。
【００６９】
なお、この効果は、ドット個数が少ないスムージング部分６１２，６２３よりも、ドット個数が多いスムージング部分６１１，６２１で顕著なものとなる。
【００７０】
ここで、図３に示す輪郭５において、段差部が形成されない直線部５３１，５３２が生じるため、段差部が形成されない直線部５３１，５３２には、段差部を目立たなくするためのドットが群が形成されないため、段差部を目立たなくするためのスムージング部分６１３，６２２が形成されない。このため、段差部５１１〜５１４が形成されている直線部５２１〜５２４において段差部５１１〜５１４を目立たなくするために形成されているスムージング部分６１１，６１２，６２１，６２３のドット群との視覚上のバランスが、段差部が形成されない直線部５３１，５３２において崩れるおそれがある。したがって、輪郭５が表す傾斜線が、段差部が形成されない直線部５３１，５３２で曲がって見えるようになり、目盛４を正確に見せることができないおそれがある。
【００７１】
これに対して、段差部が形成されない直線部５３１，５３２の端部から、背景２３側へ仮想に段差部５４１，５４２を設定する。このため、段差部が形成されない直線部５３１，５３２において、段差部を目立たなくするためのスムージング部分６１１，６１２，６２１，６２３のドット群との視覚上のバランスをとるためのスムージング部分６１３，６２２のドット群が形成される。
【００７２】
スムージング部分６１３においては、背景ドット領域と目盛ドット領域とを、直線部５３１に沿って交互に形成し、直線部５３１に沿って、段差部５４１から離れるほど、背景ドット領域のドット数を増大させるようにする。スムージング部分６２２においては、背景ドット領域と目盛ドット領域とを、直線部５２２に沿って交互に形成し、直線部５２２に沿って、段差部５４２から離れるほど、背景ドット領域のドット数を増大させるようにする。
【００７３】
このため、段差部５１１〜５１４が形成されている直線部５２１〜５２４において段差部５１１〜５１４を目立たなくするために形成されているスムージング部分６１１，６１２，６２１，６２３のドット群との視覚上のバランスが、段差部が形成されない直線部５３１，５３２において崩れることを抑えることができる。したがって、輪郭５が表す傾斜線が、段差部が形成されない直線部５３１，５３２で曲がって見えることを抑えることができるため、目盛４を正確に見せつつ、目盛４のぎざぎざ感を緩和できる。
【００７４】
（第３実施形態）
上述の実施形態では、目盛４のぎざぎざ感を緩和するため、スムージング部分６１１〜６１３，６２１〜６２３を形成したが、これに限らない。第３実施形態では、図６に示すように、目盛４のぎざぎざ感を緩和するため、スムージング部分６１１〜６１３，６２１〜６２３の代わりに、スムージング部分６３１〜６３３，６４１〜６４３を形成する。
【００７５】
スムージング部分６３１では、Ｘ方向へ並ぶ複数のドットにより形成される直線部５２１と、直線部５２１に対してＹ方向であって目盛４側へずれるドットにより形成される段差部５１２が、輪郭５から抽出される。直線部５２１と段差部５１２からなるスムージング部分６３１において、直線部５２１側で段差部５１２と隣接するドット位置に、目盛４の開口部分４１の光透過率（ほぼ透明）と背景２３Ａの光透過率（黒色で、ほぼ不透明）の中間の光透過率を有するドットが印刷される。なお、目盛４の開口部分４１は、目盛４からスムージング部分６３１〜６３３，６４１〜６４３を除いた領域に相当し、背景２３Ａは、図３において背景２３とスムージング部分６１１〜６１３，６２１〜６２３を合わせた領域に相当する。
【００７６】
段差部５１２から直線部５２１に沿って並ぶドット位置に、段差部５１２から離れるほど、開口部分４１に近い光透過率を有するドットが印刷される。このようにして、スムージング部分６３１では、段差部５１２からドットの各光透過率が増大するように形成される。
【００７７】
直線部５２２と段差部５１５からなるスムージング部分６３２，直線部５３１と段差部５１１からなる６３３，直線部５２３と段差部５１４からなる６４１，直線部５３２と段差部５１３からなる６４２，および、直線部５２４と段差部５１６からなる６４３も、スムージング部分６３１と同様にして形成される。スムージング部分６３２においては、直線部５２２側で段差部５１５と隣接するドット位置に、開口部分４１の光透過率と背景２３Ａの光透過率の中間の光透過率を有するドットが印刷される。段差部５１５から直線部５２２に沿って並ぶドット位置に、段差部５１５から離れるほど、開口部分４１に近い光透過率を有するドットが印刷される。
【００７８】
スムージング部分６３３においては、直線部５３１側で段差部５１１と隣接するドット位置に、開口部分４１の光透過率と背景２３Ａの光透過率の中間の光透過率を有するドットが印刷される。段差部５１１から直線部５３１に沿って並ぶドット位置に、段差部５１１から離れるほど、開口部分４１に近い光透過率を有するドットが印刷される。スムージング部分６４１においては、直線部５２３側で段差部５１４と隣接するドット位置に、開口部分４１の光透過率と背景２３Ａの光透過率の中間の光透過率を有するドットが印刷される。段差部５１４から直線部５２３に沿って並ぶドット位置に、段差部５１４から離れるほど、開口部分４１に近い光透過率を有するドットが印刷される。
【００７９】
スムージング部分６４２においては、直線部５３２側で段差部５１３と隣接するドット位置に、開口部分４１の光透過率と背景２３Ａの光透過率の中間の光透過率を有するドットが印刷される。段差部５１３から直線部５３２に沿って並ぶドット位置に、段差部５１３から離れるほど、開口部分４１に近い光透過率を有するドットが印刷される。スムージング部分６４３においては、直線部５２４側で段差部５１６と隣接するドット位置に、開口部分４１の光透過率と背景２３Ａの光透過率の中間の光透過率を有するドットが印刷される。段差部５１６から直線部５２４に沿って並ぶドット位置に、段差部５１６から離れるほど、開口部分４１に近い光透過率を有するドットが印刷される。
【００８０】
このようにして、スムージング部分６３２，６３３，６４１〜６４３でも、背景２３側から目盛４の開口部分４１側へ向かって、各ドットの光透過率が一定の割合で増大するように形成される。なお、本実施形態では、段差部がない直線部が生じないため、段差部を仮想に設定する必要が無い。
【００８１】
図６に示すスムージング部分６３１おいて、直線部５２１側で段差部５１２と隣接するドット位置に、目盛４の開口部分４１の光透過率（ほぼ透明な状態）と背景２３Ａの光透過率（光透過率がほぼ零の状態）の中間の光透過率を有するドットを印刷する。ここで、直線部５２１と反対側で段差部５１２と隣接するドットの光透過率が、背景２３Ａの光透過率である。このため、直線部５２１と反対側で段差部５１２と隣接するドットの光透過率と、直線部５２１側で段差部５１２と隣接するドットの光透過率の差を、背景２３Ａの光透過率と開口部分４１の光透過率との差と比較して、小さくできる。このため、段差部５１２を目立たなくできて、目盛４のぎざぎざ感を緩和できる。
【００８２】
なお、スムージング部分６３３，６４１，６４２でも、スムージング部分６３１と同様にして、それぞれ、段差部５１１，５１４，５１３を目立たなくできて、目盛４のぎざぎざ感を緩和できる。
【００８３】
さらに、直線部５２１に沿って段差部５１２から離れるほど、目盛４の開口部分４１の光透過率に近い光透過率を有するドットを印刷するため、段差部５１２を目立たなくするためのドットを目立たなくできて、目盛４のぎざぎざ感をより緩和できる。
【００８４】
なお、スムージング部分６３３，６４１，６４２でも、スムージング部分６３１と同様にして、それぞれ、段差部５１１，５１４，５１３を目立たなくするためのドットを目立たなくできて、目盛４のぎざぎざ感をより緩和できる。
【００８５】
本実施形態によれば、スムージング部分６３１，６３３，６４１，６４２との視覚上のバランスをとるために、スムージング部分６３２，６４３を形成している。このため、段差部５１２、５１１，５１４，５１３を目立たなくするために形成されているスムージング部分６３１，６３３，６４１，６４２との視覚上のバランスが、直線部５２２，５２４において崩れることを抑えることができる。したがって、輪郭５が表す傾斜線が、直線部５２２，５２４で曲がって見えることを抑えることができるため、目盛４を正確に見せつつ、目盛４のぎざぎざ感を緩和できる。
【００８６】
なお、スムージング部分６３１〜６３３，６４１〜６４３において、それぞれ、目盛ドット領域と背景ドット領域とを、直線部５２１，５２２，５３１，５２３，５３２，５２４に沿って交互に形成し、直線部５２１，５２２，５３１，５２３，５３２，５２４に沿って、それぞれ、段差部５１２，５１５，５１１，５１４，５１３，５１６から離れるほど、目盛ドット領域のドット数を増大させるようにすることも可能である。この方法によっても、上述と同様の効果を得ることができる。
【００８７】
また、スムージング部分６１１〜６１３，６２１〜６２３、および、スムージング部分６３１〜６３３，６４１〜６４３の代わりに、スムージング部分を、スムージング部分６１１〜６１３，６４１〜６４３とすることも可能であり、スムージング部分６２１〜６２３，６３１〜６３３とすることも可能である。この方法よっても、上述と同様の効果を得ることができる。
【００８８】
（第４実施形態）
第４実施形態では、図７に示すように、上述の実施形態におけるスムージング部分６１１〜６１３，６２１〜６２３の各一部分を、スムージング部分６１１０〜６１３０，６２１０，６２２０，６２３とする。スムージング部分６１１において、段差部５１１側をスムージング部分６１１０とし、領域７１を背景２３の光透過率のドット領域とする。スムージング部分６１２において、段差部５１２側をスムージング部分６１２０とし、領域７２を背景２３の光透過率のドット領域とする。スムージング部分６１３において、段差部５４１側をスムージング部分６１３０とし、領域７３を背景２３の光透過率のドット領域とする。スムージング部分６２１において、段差部５１３側をスムージング部分６２１０とし、領域７４を背景２３の光透過率のドット領域とする。スムージング部分６２２において、段差部５４２側をスムージング部分６２２０とし、領域７５を背景２３の光透過率のドット領域とする。なお、スムージング部分６２３は、そのままとしている。
【００８９】
スムージング部分６１１０〜６１３０，６２１０，６２２０，６２３を、第１実施形態による方法で形成することが可能である。たとえば、スムージング部分６１１０においては、直線部５２１側で段差部５１１と隣接するドット位置に、目盛４の光透過率と背景２３の光透過率の中間の光透過率を有するドットが印刷される。段差部５１１から直線部５２１に沿って並ぶドット位置に、段差部５１１から離れるほど、背景２３の光透過率に近い光透過率を有するドットが印刷される。第４実施形態でも、上述の実施形態と同様の効果を得ることができる。
【００９０】
なお、スムージング部分６１１０〜６１３０，６２１０，６２２０，６２３の各ドット位置に、目盛４の光透過率と背景２３の光透過率の中間の光透過率であって、互いに同じ光透過率のドットを、印刷することも可能である。これにより、スムージング部分６１１０〜６１３０，６２１０，６２２０，６２３は、それぞれ、グラデーション状とならないで、同じ中間の光透過率で形成される。この方法よっても、輪郭５が表す傾斜線が、直線部５３１，５３２で曲がって見えることを抑えることができるとともに、段差部５１１〜５１４、を目立たなくできる。したがって、目盛４を正確に見せつつ、目盛４のぎざぎざ感を緩和できる。
【００９１】
また、スムージング部分６３１〜６３３，６４１〜６４３の各一部分を、スムージング部分とすることも可能である。
【００９２】
上述の例では、目盛４を例に説明したが、文字３等の意匠においても同様の効果を得ることができる。
【００９３】
上述の例では、本発明を、背後側から文字盤１を透過照明して文字３や目盛４等の意匠を発光表示させる文字盤１に適用したが、これに限らない。本発明を、前方側から文字盤を照明して文字や目盛等の意匠を表示するようにした文字盤に適用することも可能である。この場合、上述の各実施形態の光透過率を、光反射率に置き換えた印刷方法、および、印刷装置が、本発明となる。これにより、直線部側で段差部と隣接するドットの光反射率と、直線部と反対側で段差部と隣接するドットの光反射率との差を、緩和できて、上述と同様の効果を得ることができる。
【図面の簡単な説明】
【００９４】
【図１】本発明の第１実施形態による印刷方法によって印刷を行なう印刷装置の模式的説明図である。
【図２】本発明の第１実施形態による印刷方法によって印刷された文字盤の正面図である。
【図３】図２中のＩＩＩ部の拡大図である。
【図４】図３中のＩＶ部の拡大図である。
【図５】図１に示す印刷装置を用いた印刷工程図である。
【図６】本発明の第３実施形態による印刷方法によって印刷された文字盤の部分拡大図である。
【図７】本発明の第４実施形態による印刷方法によって印刷された文字盤の部分拡大図である。
【符号の説明】
【００９５】
１０  印刷装置（計器板用印刷装置）、１１  インクジェット装置（印刷手段）
１１Ａ  インク滴、１２  制御装置（印刷手段、抽出手段）、１３  メモリ
１４  基板ステージ、１  文字盤（計器板）、２  基板、２１  表面
２２  印刷膜、２３，２３Ａ  背景、３  文字（意匠）、４  目盛（意匠）
４１  開口部分、５，５Ｘ，５Ｙ，５０  輪郭
５１１〜５１６，５４１，５４２  段差部、５２１〜５２４，５３１，５３２  直線部
６１１〜６４３，６１１０〜６２２０  スムージング部分、７１〜７５  領域
６１１Ａ〜６１１Ｎ，６３３Ａ  ドット、ＸＲ，ＹＲ  ドット幅、Ｓ１〜Ｓ５  工程
【図１】
2010066604.tif 000003
【図２】
2010066604.tif 000004
【図３】
2010066604.tif 000005
【図４】
2010066604.tif 000006
【図５】
2010066604.tif 000007
【図６】
2010066604.tif 000008
【図７】
2010066604.tif 000009